(57)【要約】  【課題】  少ない部品点数で、かつ、ワンタッチで混合水供給管と可撓管を接続できるとともに、作業性の良好な湯水混合水栓を提供すること。  【解決手段】  水栓本体２の下流側に設けた混合水供給管２ａとシャワヘッド３が引出し可能に連結された可撓管４を備えた湯水混合水栓１において、混合水供給管２ａの下流端部および可撓管４の上流端部にそれぞれ、第１プラグ２１および第２プラグ２２を設け、第１プラグ２１と第２プラグ２２とを簡易着脱機構を持つ継手３０を介して連通連結するように構成してある。  【選択図】  図１
2005282024.tif 000002
【特許請求の範囲】
【請求項１】
水栓本体の下流側に設けた混合水供給管とシャワヘッドが引出し可能に連結された可撓管を備えた湯水混合水栓において、混合水供給管の下流端部および可撓管の上流端部にそれぞれ、第１プラグおよび第２プラグを設け、第１プラグと第２プラグとを簡易着脱機構を持つ継手を介して回動可能に連通連結するように構成してあることを特徴とする湯水混合水栓。
【請求項２】
前記第１プラグおよび第２プラグは同一構造を持ち、それぞれ、ほぼ円筒状で、外周面に形成されたロック溝部を有する一方、前記継手は、一側および他側に、それぞれ同一構造を持つ、第１プラグおよび第２プラグとの簡易接続手段を有し、この簡易接続手段は、前記継手の内壁に、前記ロック溝部に係止するためのロック部を有するとともに、このロック部は、貫通孔と、この貫通孔により保持され、ロック時には摺動部材の突出部によって前記継手の内側へ付勢され、非ロック時には前記摺動部材の凹入部へと退避するロックボールとを有し、更に、前記摺動部材は、前記継手の外壁に沿って摺動可能であり、かつスプリングによって常に上流側へ付勢されている請求項１に記載の湯水混合水栓。
【発明の詳細な説明】
【技術分野】
【０００１】
この発明は、湯水混合水栓に関するものである。
【背景技術】
【０００２】
例えば、図３に示す湯水混合栓５０は、給湯管Ｈおよび給水管Ｃから流入する湯および水を適宜混合して湯水混合水を混合水供給管５１に供給する水栓本体５２と、水栓本体５２から供給される混合水、あるいは、水よりなる原水を吐水するシャワヘッド５３と、このシャワヘッドを引出し可能なようにシャワヘッド５３と混合水供給管５１とを接続する可撓管５４とを有している。
【０００３】
そして、混合水供給管５１と可撓管５４の接続は、以下のようになっている。すなわち、可撓管５４の上流端部にねじ部（図示せず）を形成し、このねじ部に接続金具５５をねじ込んだ後、接続金具５５を、混合水供給管５１の下流側に設けた中継管５７の内径拡大部分５８に挿入し、かつ、中継管５７の先端に形成したフランジ５８と、接続金具５５の先端部に形成したフランジ５９同士を当接させた状態で、クリップ５９を両フランジ５８，５９を挟み込むように挿入することにより、中継管５７に対して接続金具５５が抜け止め保持された状態となる。しかる後に、クリップ５９の開口端ｂ，ｂに跨がって上方側から脱落防止カバー６０を、脱落防止カバー６０に設けた防止片６１，６１を通してクリップ５９に外嵌装着する。これにより、防止片６１，６１が開口端ｂ，ｂのそれぞれ外周面に当接し、開口端ｂ，ｂ同士が外側へ開くのを防止でき、クリップ５９が容易に脱落することがない。
【発明の開示】
【発明が解決しようとする課題】
【０００４】
しかし、可撓管５４の前記ねじ部に接続金具５５をねじ込むので、ねじ込み不足による止水不良が発生するおそれがあるとともに、前記ねじ込みにより可撓管５４は混合水供給管５１に対してフリーとならず、可撓管５４がねじれるおそれがあり、ねじれたまま使用すると最悪の場合可撓管５４が破損するおそれがある。更に、ねじ込み後は、クリップ５９と脱落防止カバー６０を組付ける必要があり、混合水供給管５１と可撓管５４の接続作業が極めて複雑であった。また、部品点数が多かった。
【０００５】
この発明は、上述の事柄に留意してなされたもので、その目的は、少ない部品点数で、かつ、ワンタッチで混合水供給管と可撓管を接続できるとともに、作業性の良好な湯水混合水栓を提供することである。
【課題を解決するための手段】
【０００６】
上記目的を達成するために、この発明の湯水混合水栓は、水栓本体の下流側に設けた混合水供給管とシャワヘッドが引出し可能に連結された可撓管を備えた湯水混合水栓において、混合水供給管の下流端部および可撓管の上流端部にそれぞれ、第１プラグおよび第２プラグを設け、第１プラグと第２プラグとを簡易着脱機構を持つ継手を介して回動可能に連通連結するように構成してある。
【発明の効果】
【０００７】
この発明では、混合水供給管の下流端部に第１プラグを設け、可撓管の上流端部に第２プラグを設け、第１プラグと第２プラグとを継手を介して連通連結するように構成してあるので、第１，２プラグと継手の３つの部品点数で混合水供給管と可撓管を接続できる。また、この発明では、第１プラグと第２プラグとを簡易着脱機構を持つ継手を介して連通連結するので、ワンタッチで混合水供給管と可撓管の接続できるとともに、作業性を向上できる。また、第１プラグと第２プラグとを簡易着脱機構を持つ継手を介して回動可能に連通連結するように構成してあるので、可撓管を混合水供給管に対してフリーにでき、可撓管がねじれるおそれがない。
【発明を実施するための最良の形態】
【０００８】
以下、この発明の実施形態を、図を参照しながら説明する。なお、それによってこの発明は限定されるものではない。
【０００９】
図１、図２は、この発明の一実施形態を示す。
図１、図２において、例えば台所用の浄水機能付湯水混合栓１は、給湯管Ｈおよび給水管Ｃから流入する湯および水を適宜混合して湯水混合水を混合水供給管２ａに供給する混合栓本体（水栓本体）２と、混合栓本体２から供給される混合水、あるいは、水よりなる原水や、その浄水を吐水するシャワヘッド３と、このシャワヘッド３と混合水供給管２ａとを接続する可撓管４とを有している。２ｂ，２ｃはそれぞれ給湯管Ｈ、給水管Ｃに連通連結されるサプライ管であり、２ｄは混合水供給管２ａに供給される湯水の混合比と止水を含む吐水量の調整を行う操作レバーである。前記混合栓本体（水栓本体）２は、シンクの取付面部１６に設けた一つの貫通穴１６ａに嵌込まれた後固定されている筒状の取付部材１７を介して取付面部１６上に取付けられており、この取付部材１７内にサプライ管２ｂ，２ｃおよび混合水供給管２ａが挿通されている。シャワヘッド３は内部に可撓管４を挿通できるシャワホルダ３ａに支持されており、シャワホルダ３ａの先端部３ｂから可撓管４とともに引出し可能となっている。シャワホルダ３ａは、混合栓本体２の下部を覆う筒状の回動蓋Ｆに取付けられている。シャワヘッド３は、円筒状の浄水カートリッジ（図示せず）が取替自在に内蔵されている合成樹脂製のグリップ部１１と、このグリップ部１１の下流端にねじ止めにより接続される合成樹脂製の吐水口本体１２とよりなる。前記浄水カートリッジは例えば高性能抗菌繊維活性炭フィルタを有する。
【００１０】
以下、特徴的構成について説明する。
２１は、混合水供給管２ａの下流端部に設けたほぼ円筒状の第１プラグ、２２は、可撓管４の上流端部に設けたほぼ円筒状の第２プラグで、第１プラグ２１、第２プラグ２２は同一構造を有する。すなわち、第１プラグ２１の外周面には、先端側から順に、外周がフラットに形成されたシール部２３、シール部２３から遠ざかるにつれ外径が大きくなるテーパ部２４、ロック溝部２５、シール部２３よりも大径の嵌入部２６および嵌入部２６よりも大径の当たり部２７が形成されている。なお、前記プラグ２１は、混合水供給管２ａに接続されているという構成に限るものではなく、たとえばプラグ２１が混合水供給管２ａの下流端部に一体的に形成されているとしてもよい。
また、第１プラグ２１と同一構造の第２プラグ２２の外周面にも、先端側から順に、外周がフラットに形成されたシール部２３、シール部２３から遠ざかるにつれ外径が大きくなるテーパ部２４、ロック溝部２５、シール部２３よりも大径の嵌入部２６および嵌入部２６よりも大径の当たり部２７が形成されている。  
【００１１】
３０は、第１プラグ２１と第２プラグ２２とを回動可能に連通連結する合成樹脂製の継手で、ほぼ円筒状の継手本体３０ａを有する。継手本体３０ａは、簡易着脱機構を持っており、その一側および他側に、それぞれ同一構造を持つ、第１プラグ２１および第２プラグ２２との簡易接続手段３１，３２を有する。
以下、継手３０の一側に設けられた前記簡易接続手段３１について説明する。
簡易接続手段３１は、継手本体３０ａに、前記ロック溝部２５に係止するためのロック部３３と、摺動部材３５とを有する。ロック部３３は、貫通孔３４と、この貫通孔３４により保持され、ロック時には摺動部材３５の突出部３６によって前記継手３０の内側へ付勢され、非ロック時には前記摺動部材３５の凹入部３７へと退避するロックボール３８とを備えている。また、簡易接続手段３１の前記摺動部材３５は、ほぼ円筒状で、継手本体３０ａの外壁Ａに沿って、継手本体３０ａの軸心方向に摺動可能であるとともに、スプリング３９によって常に一側の先端側へ付勢されている。すなわち、前記摺動部材３５には、その内周面に前記突出部３６が内側に向かって形成されており、さらに、この突出部３６の先端側には、その内周面が突出部３６の内周面よりも外側になるように設けられた前記凹入部３７が形成されている。そして、前記突出部３６の凹入部３７とは反対側の側面３６ａに、摺動部材３５を常に一側の先端側に付勢する前記スプリング３９の一端部が当接する構成となっている。一方、簡易接続手段３１は、その一側の先端部外周面に、前記突出部３６の端面が当接して前記摺動部材３５が継手３０から抜けることを防止する外向きフランジ４２を有するとともに、摺動部材３５は、前記フランジ４２に当接する内向きフランジ４３を突出部３６に有する。４４は、継手３０に設けた切欠きで、継手本体３０ａの軸心方向に沿って、かつ等間隔にロックボール３８の数だけ設けられている。切欠き４４は、軸心方向におけるほぼ中央に前記貫通孔３４を有する。摺動部材３５を継手本体３０ａに嵌め込むときに継手本体３０ａの外径を縮小させる必要があり、そのために前記切欠き４４が設けられている。そして、摺動部材３５と継手本体３０ａとから継手３０が構成されている。なお、簡易接続手段３２も以上述べた簡易接続手段３１と同一構成をしている。
【００１２】
次に、簡易接続手段３１の動作について説明する。簡易接続手段３２の動作も簡易接続手段３１の動作と同様である。
図２に示すように、継手３０が初期状態にあるとき、前記摺動部材３５は、その摺動可能範囲の最も先端側（継手本体３０ａの一側の先端側）に位置し、このとき、摺動部材３５の突出部３６は、前記ロック部３３のすぐ外側に位置する。この状態では、突出部３６は前記ロックボール３８を継手本体３０ａの内側へ付勢し、このように付勢された前記ロックボール３８は、継手本体３０ａの内壁Ｂの内側へ突出することになる。そして、継手本体３０ａの内壁の内側へ突出したロックボール３８は、第１プラグ２１が継手本体３０ａの内部に進入することを阻止する。
【００１３】
上記のような初期状態にある前記摺動部材３５を継手本体３０ａの一側の先端から遠ざける方向へ摺動させると、継手本体３０ａをプラグ２１に取り付けることが可能となる。つまり、摺動部材３５を摺動させると、前記ロック部３３のすぐ外側に位置していた突出部３６がこの位置から移動し、凹入部３７がロック部３３のすぐ外側に位置することになる。そして、この状態では、前記ロックボール３８は継手本体３０ａの内壁Ｂから凹入部３７へと退避することが可能となり、プラグ２１を継手本体３０ａの内部へ進入させることが可能となる。この後、プラグ２１のシール部２３が継手本体３０ａの内周面に設けたＯリング４８に嵌まり込むように、継手本体３０ａ内にプラグ２１を挿入する。そして、摺動させていた前記摺動部材３５をスプリング３９の付勢に委ねると、摺動部材３５は初期の位置に戻り、ロックボール３８は前記突出部３６により再び継手本体３０ａの内側へ付勢される。このように付勢されたロックボール３８は、プラグ２１のロック溝部２５に当接し、これにより継手本体３０ａはプラグ２１から抜けないようにロックされる。上記のようにロック状態にすることで、混合水供給管２ａから可撓管４を介してシャワヘッド３の吐水口本体１２へ湯水等を送ることが可能となる。ロック状態において、プラグ２１から継手本体３０ａを外すには、上記のロックボール３８とロック溝部２５とによるロックを解除する必要があり、このロックの解除は、前記摺動部材３５を下流側へ摺動させることで行うことができる。すなわち、摺動部材３５を下流側へ摺動させると、ロックボール３８は摺動部材３５の凹入部３７へと退避可能となり、ロックボール３８によるロック溝部２５の係止が解除され、前記ロックが解除されることとなる。なお、上記のロック解除の操作は、片手で行うことができる。
【図面の簡単な説明】
【００１４】
【図１】この発明の一実施形態を示す全体斜視図である。
【図２】上記実施形態における混合水供給管と可撓管の接続前の状態を示す構成説明図である。
【図３】従来例を示す斜視図である。
【符号の説明】
【００１５】
１      湯水混合水栓
２      水栓本体
２ａ    混合水供給管
３      シャワヘッド
４      可撓管
２１    第１プラグ
２２    第２プラグ
３０    簡易着脱機構を持つ継手
【図１】
2005282024.tif 000003
【図２】
2005282024.tif 000004
【図３】
2005282024.tif 000005